(57)【特許請求の範囲】
【請求項１】
直交する２本の中心線(C1,C2)のそれぞれに対して線対称な六角形で、第１中心線(C1)が一対の対角を通り、第２中心線(C2)が第１中心線(C1)をはさんで相対する対辺と直交するように形成された底壁(17〜19,37〜39)と、該底壁(17〜19,37〜39)に連接しかつ縦折り曲げ線(a〜f)を介して左右に連続する６面の側壁（11〜16,31〜36)とを備えた、ブランク(10,30)からなる六角手提げ箱の蓋構造であって、
上記側壁(11〜16,31〜36)の上端から、上記第１中心線(C1)をはさんで相対する対辺間寸法の大略半分に相当する寸法を隔てた位置を通って上記底壁(17〜19,37〜39)と平行に、それよりも上方の部分を蓋部(11a〜16a,31a〜36a)として区画する第１折り曲げ線(h)が形成され、
上記第１中心線(C1)をはさんで相対する２面の側壁(11,14,31,34)の蓋部(11a,14a,31a,34a)の上端に、それぞれ、該各側壁(11,14,31,34)の両端から側方へ突出する係合片(20a,40a)を備えた取っ手板(20,40)が連接するとともに、該取っ手板(20,40)と蓋部(11a,14a,31a,34a)との境界に第２折り曲げ線(i)が形成され、
上記第１中心線(C1)上の対角を構成する４面の側壁(12,13,15,16,32,33,35,36)の蓋部(12a,13a,15a,16a,32a,33a,35a,36a)に、それぞれ、上記第１折り曲げ線(h)と各縦折り曲げ線(a〜f)との交点から該各蓋部(12a,13a,15a,16a,32a,33a,35a,36a)の上端略中央部の１点へ向かって斜めにのびる第３折り曲げ線(j,k)が形成され、
上記蓋部(11a〜16a,31a〜36a)は、上記縦折り曲げ線(a〜f)を、上記対角上の位置(b1,e1)で凸に、その両隣の位置(a1,c1,d1,f1)で凹に折り曲げるとともに、上記各第３折り曲げ線(j,k)を、上記対角側の位置(j)で凹に、その隣の位置(k)で凸に折り曲げ、さらに、上記第１折り曲げ線(h)で凸に、第２折り曲げ線(i)で凹に折り曲げて、上記２枚の取っ手板(20,40)を重ね合わせることにより組み立てられ、
上記蓋部(11a〜16a,31a〜36a)の組立状態で上記係合片(20a,40a)が嵌入する係合穴(21,41)が該蓋部(11a〜16a,31a〜36a)における上記対角を通る縦折り曲げ線上の位置(b1,e1)に形成されたことを特徴とする六角手提げ箱の蓋構造。
【発明の詳細な説明】
【０００１】
【産業上の利用分野】
本発明は、六角手提げ箱の蓋構造に関し、詳しくは、ブランクを折り曲げて組み立てるタイプの六角手提げ箱の蓋の構造に関する。
【０００２】
【従来の技術】
従来、ブランクから組み立てるタイプの六角手提げ箱として、例えば、図１２及び図１３に示すように構成されたものが提案されている。図１２は箱を折り畳んだ状態の斜視図、図１３は箱を組み立てた状態の斜視図である。この箱１は、組み立てた状態にすることにより自動的に閉塞される正六角形の底壁２と、左右に連続した６面の側壁３とを備え、相対する２面の側壁３ａの上端にそれぞれ連接した台形の蓋板４の先端部から取っ手板５が延出した構成になっている。蓋板４は２枚組み合わせることにより正六角形になり、６面の側壁３から構成される正六角形に一致するようになっている。また、取っ手板５の左右の端部には係止片５ａが形成され、この係止片５ａを、側壁３の対角位置に形成された係止穴３ｂに引っかけて留めるようになっている。
【０００３】
【発明が解決しようとする課題】
しかし、この構成の手提げ箱では、六角の筒状になった側壁３の対角位置に形成されている係止穴３ｂから係止片５ａが突出した状態で蓋を閉塞保持するようにしているので、蓋板４を閉める場合も開ける場合も側壁３を左右へ押し広げながら行わなければならず、作業性が悪いという問題があった。
【０００４】
したがって、本発明の解決すべき技術的課題は、六角手提げ箱の蓋の構造を改良して、その開け閉めの作業性を良くすることである。
【０００５】
【課題を解決するための手段】
本発明に係る六角手提げ箱の蓋構造は、直交する２本の中心線のそれぞれに対して線対称な六角形で、かつ第１中心線が一対の対角を通り、第２中心線が第１中心線をはさんで相対する対辺と直交するように形成された底壁と、この底壁に連接しかつ縦折り曲げ線を介して左右に連続する６面の側壁とを備えた、ブランクからなる六角手提げ箱の蓋構造であって、上述の技術的課題を解決するために以下のように構成されたことを特徴としている。
【０００６】
すなわち、側壁の上端から、第１中心線をはさんで相対する対辺間寸法の大略半分に相当する寸法を隔てた位置を通って底壁と平行に、それよりも上方の部分を蓋部として区画する第１折り曲げ線が形成され、第１中心線をはさんで相対する２面の側壁の蓋部の上端に、それぞれ、各側壁の両端から側方へ突出する係合片を備えた取っ手板が連接するとともに、取っ手板と蓋部との境界に第２折り曲げ線が形成されている。また、第１中心線上の対角を構成する４面の側壁の蓋部に、それぞれ、第１折り曲げ線と各縦折り曲げ線との交点から各蓋部の上端略中央部の１点へ向かって斜めにのびる第３折り曲げ線が形成されている。そして、蓋部は、縦折り曲げ線を、上記対角上の位置で凸に、その両隣の位置で凹に折り曲げるとともに、各第３折り曲げ線を、上記対角側の位置で凹に、その隣の位置で凸に折り曲げ、さらに、第１折り曲げ線で凸に、第２折り曲げ線で凹に折り曲げて、２枚の取っ手板を重ね合わせることにより組み立てられるようになっている。さらに、蓋部の組立状態で係合片が嵌入する係合穴が蓋部における上記対角を通る縦折り曲げ線上の位置に形成されている。
【０００７】
【作用・効果】
上記構成においては、蓋部の組立の際に２枚の取っ手板を重ね合わせるようにすると、取っ手板の連接した蓋部の両側の縦折り曲げ線が底壁とほぼ平行になる位置まで下がるため、第１中心線上の対角を構成する４枚の蓋部が箱の中心側へ呼び込まれることになる。このため、その対角上の縦折り曲げ線が取っ手板に左右から接して、係合片が係合穴に嵌入し、蓋が閉じられた状態が保持される。このように、上記構成によれば、取っ手板の左右を強制的に広げるような作業をせずに蓋を簡単に組み立てることができる。
【０００８】
また、この対角上の縦折り曲げ線の部分は、第１折り曲げ線との交点を中心として揺動する方向へ動くため、六角の真っすぐな筒状であった従来の箱と比較して蓋を開くときに強く押し広げなくても係合片を係合穴から外すことができる。したがって、上記構成によれば、蓋の開け閉めを簡単に行うことができる。
【０００９】
【実施例】
以下に、図１から図８に示した本発明の第１実施例に係る六角手提げ箱の蓋構造について詳細に説明する。
【００１０】
図１はこの六角手提げ箱のブランク１０を示す展開図である。このブランク１０は、縦長の長方形に形成された同一形状の側壁１１〜１６を６つ横に並べた構成であって、各側壁の間には、縦折り曲げ線ａ〜ｆが設けられ、組み立てたときに各側壁で正六角形が構成されるようになっている。また、各側壁１１〜１６の下端には３つで一組の底壁片１７〜１９が横折り曲げ線ｇを介して連接しており、各組で、中央の底壁片１８の貼着片１８ａと右側の底壁片１９とが貼り合わせられるようになっている。
【００１１】
６面の側壁１１〜１６には、この側壁１１〜１６の上端から上記正六角形の対辺間寸法の約２分の１の寸法を隔てた位置を通る第１折り曲げ線ｈが形成されており、この第１折り曲げ線ｈよりも上方の部分が蓋部１１ａ〜１６ａとしてそれよりも下方の部分から区画されている。図中、左端の側壁１１と、左から４番目の側壁１４の蓋部１１ａ，１４ａの上端には、それぞれ、各蓋部１１ａ，１４ａの両端から側方へ突出する係合片２０ａを備えた取っ手板２０が連接している。また、この取っ手板２０と蓋部１１ａ及び１４ａとの間には、第２折り曲げ線ｉが形成されている。この取っ手板２０は、箱を組み立てたときに正六角形の一対の対角を結ぶ対角線（第１中心線Ｃ1：図５参照）をはさんで相対するように配置されており、第１中心線Ｃ1と直交する第２中心線Ｃ2は、第１中心線Ｃ1をはさんで相対する対辺をその中点で直角に横切っている。さらに、その対角を構成する各２面の側壁１２，１３と１５，１６の蓋部１２ａ，１３ａ，１５ａ，１６ａには、第１折り曲げ線ｈと各縦折り曲げ線ａ〜ｆとの交点から各蓋部１２ａ，１３ａ，１５ａ，１６ａの上端中央部の１点へのびる第３の折り曲げ線ｊ，ｋが形成されている。
【００１２】
この箱の組立に際しては、まず各底壁片１７〜１９を横折り曲げ線ｇで折り曲げて側壁１１〜１６に沿わせ、かつ底壁片１８の貼着片１８ａを折り曲げて図２のようにする。次に、縦折り曲げ線ｂとｅで折り曲げ、側壁１１，１２，１６と側壁１４，１５，１３を重ね合わせ、貼着片１１ｂ，１１ｃを右端の側壁１６の内面に貼り付けるとともに、中央の底壁片１８の貼着片１８ａと右側の底壁片１９とを貼り合わせる。このとき、箱は図３の形状となる。次に、側壁１１〜１６を各縦折り曲げ線ａ〜ｆで折り曲げて、各側壁１１〜１６を六角形の筒の形状に組み立てる。そうすると、図４及び図５の斜視図に示すように各底壁片１７〜１９が自動的に側壁１１〜１６から立ち上がって互いにかみ合い、箱の底部が閉塞される（実公昭５６−２０３３３号公報参照）。なお、このときの箱の全体形状を図６に示している。
【００１３】
次に、蓋部の組立に先立って、各折り曲げ線に次のように折り癖を付ける。まず、第１折り曲げ線ｈの部分が凸になり、第２折り曲げ線ｉの部分が凹になるように折り癖を付ける。次に、縦折り曲げ線ａ〜ｆの第１折り曲げ線ｈよりも上方の部分を、上記対角上の位置ｂ1，ｅ1で凸に、その両隣の位置ａ1，ｃ1，ｄ1，ｆ1で凹に折り曲げるとともに、各第３折り曲げ線ｊ，ｋを、上記対角側の位置ｊで凹に、その隣の位置ｋで凸に折り曲げておく。このとき、箱は図７に示す形状となる。
【００１４】
この状態で２枚の取っ手板２０を重ね合わせながら下方へ押し下げると、取っ手板１０の連接した側壁１１，１４の蓋部１１ａ，１４ａの両側の縦折り曲げ線ａ1，ｃ1，ｄ1，ｆ1が底壁１７〜１９と平行になる位置まで下がるため、対角を構成する蓋部１２，１３，１５，１６が箱の中心側へ呼び込まれることになる。このため、その対角上の縦折り曲げ線ｂ1，ｅ1の部分が取っ手板２０に左右から接近する。一方、蓋部１２，１３，１５，１６には、この縦折り曲げ線ｂ1，ｅ1に沿って係合穴２１が形成されていて、取っ手板２０を押し下げたときに係合片２０ａがこの係合穴２１に嵌入し、図８に示すように蓋が閉じられた状態に保持されるようになっている。また、この対角上の縦折り曲げ線ｂ1，ｅ1の部分は、第１折り曲げ線ｈとの交点を中心として揺動する方向へ動くため、蓋を開くときには強く押し広げなくても係合片２０ａを係合穴２１から外すことができる。このため、本実施例によれば、蓋の開け閉めを簡単に行うことができる。
【００１５】
次に、図９から図１１に示した第２実施例に係る六角手提げ箱について説明する。この箱は、図１０に示すように、底壁が正六角形ではなく、直交する２本の中心線Ｃ1，Ｃ2のそれぞれに対して線対称な横長の六角形で、第１中心線Ｃ1が一対の対角を通り、第２中心線Ｃ2が第１中心線Ｃ1をはさんで相対する対辺と直交するようになっている。このため、図９に示すように、この箱のブランク３０は、取っ手板４０の連接した側壁３１，３４がその隣の側壁３２，３３，３５，３６よりも広い幅で形成されている。なお、側壁３１〜３６と取っ手板４０に関する折り曲げ線ａ〜ｋは第１実施例と同様に構成されているので説明は省略する。また、底壁３７〜３９は、側壁３１の下端に連接した略長方形の底壁片３７ａが、側壁３４の下端に連接した底壁片３７ｂの先端部３７ｃに貼り合わせられ、側壁３２，３５に連接した略三角形の底壁片３８が側壁３３，３６に連接した底壁片３９の先端部３９ａに貼り合わせられるように構成されている。
【００１６】
この箱の組立に際しては、第１実施例と同様にまず各底壁片３７〜３９を横折り曲げ線ｇで折り曲げて側壁３１〜３６に沿わせ、さらに縦折り曲げ線ｂとｅで折り曲げて側壁３１，３２，３６と側壁３４，３５，３３を重ね合わせ、貼着片３１ｂ，３１ｃを右端の側壁３６の内面に貼り付けるとともに、各底壁片３７〜３９を上述のように貼り合わせる。次に、側壁３１〜３６を各縦折り曲げ線ａ〜ｆで折り曲げて、各側壁３１〜３６を六角形の筒の形状に組み立てる。そうすると、図１０の斜視図に示すように各底壁片３７〜３９が自動的に側壁３１〜３６から立ち上がって、箱の底部が閉塞される。さらに、第１実施例と同様に各折り曲げ線ａ1〜ｆ1，ｈ〜ｋに折り癖を付けてから、２枚の取っ手板４０を重ね合わせながら下方へ押し下げると、取っ手板４０の連接した側壁３１，３４の蓋部３１ａ，３４ａの両側の縦折り曲げ線ａ1，ｃ1，ｄ1，ｆ1が底壁３７〜３９と平行になる位置まで下がるため、蓋部３２，３３，３５，３６が箱の中心側へ呼び込まれ、係合穴４１に係合片４０ａが嵌入して、図１１に示すように蓋が閉じられた状態に保持される。このように、蓋を開け閉めするときの縦折り曲げ線ｂ1，ｅ1の部分の動作は、第１実施例と同様に第１折り曲げ線ｈとの交点を中心として揺動する方向への動作であるから、本実施例においても蓋の開け閉めを簡単に行うことができる。
【００１７】
なお、本発明は上記実施例に限定されるものではなく、その他種々の態様で実施することが可能である。例えば、上記実施例では、箱を正六角形または正六角形を横長にした六角形に構成しているが、取っ手板の連接した側壁の幅をせまくした縦長の六角形にすることもできる。
【図面の簡単な説明】
【図１】  本発明の第１実施例に係る六角手提げ箱のブランクを示す展開図である。
【図２】  箱の組立の第１段階を示す図である。
【図３】  箱の組立の第２段階を示す図である。
【図４】  この箱の底を閉じる状況を示す斜視図である。
【図５】  この箱の底を閉じた状態を示す斜視図である。
【図６】  蓋を閉じる前の箱の全体形状を示す斜視図である。
【図７】  この箱の蓋を閉じる状況を示す斜視図である。
【図８】  この箱の蓋を閉じた状態を示す斜視図である。
【図９】  本発明の第２実施例に係る六角手提げ箱のブランクを示す展開図である。
【図１０】  この箱の底を閉じた状態を示す斜視図である。
【図１１】  この箱の蓋を閉じた状態を示す斜視図である。
【図１２】  従来例に係る六角手提げ箱の蓋を閉じる前の状態を示す斜視図である。
【図１３】  従来例に係る六角手提げ箱の蓋を閉じた状態を示す斜視図である。
【符号の説明】
１０，３０                      ブランク
１１〜１６，３１〜３６          側壁
１１ａ〜１６ａ，３１ａ〜３６ａ  蓋部
１１ｂ，１１ｃ，３１ｂ，３１ｃ  貼着片
１７〜１９，３７〜３９          底壁片
２０，４０                      取っ手板
２０ａ，４０ａ                  係合片
２１，４１                      係合穴
ａ〜ｆ                          縦折り曲げ線
ａ1〜ｆ1                        蓋部の縦折り曲げ線
ｇ                              横折り曲げ線
ｈ                              第１折り曲げ線
ｉ                              第２折り曲げ線
ｊ，ｋ                          第３折り曲げ線
【図１】
0003690426.tif 000002
【図２】
0003690426.tif 000003
【図３】
0003690426.tif 000004
【図４】
0003690426.tif 000005
【図５】
0003690426.tif 000006
【図６】
0003690426.tif 000007
【図７】
0003690426.tif 000008
【図８】
0003690426.tif 000009
【図９】
0003690426.tif 000010
【図１０】
0003690426.tif 000011
【図１１】
0003690426.tif 000012
【図１２】
0003690426.tif 000013
【図１３】
0003690426.tif 000014